(57)【特許請求の範囲】
【請求項１】
ヘッダ管から分岐した第１の配管と、
濾過膜モジュールのキャップに設けられた第２の配管と、が
継手構造により接続された濾過膜モジュールの設置構造であって、
前記継手構造は、前記第１の配管に外装されると共に該第１の配管の外周面に設けられた突出部に当接して回転自在に係止される第１の袋ナットと、
前記第１の配管の端面に第１のシール部材を介在させて一端面が当接され、前記第１の袋ナットの内周面に設けられた雌ネジ部に螺合し得る雄ネジ部が外周面に設けられ、且つ前記第２の配管が他端部から挿入される継手部材と、
前記継手部材の他端部及び前記第２の配管に外装されると共に該継手部材の他端部の外周面に設けられた雄ネジ部に螺合し得る雌ネジ部が内周面に設けられた第２の袋ナットと、
前記第２の配管に外装されると共に前記第２の袋ナットの内部に収容され、前記第２の配管の外周面と前記継手部材の他端面に当接してシールする第２のシール部材と、を有し、
前記濾過膜モジュールは、水平に配置された前記ヘッダ管に起立した状態で取り付けられ、
前記濾過膜モジュールのキャップが下部キャップであり、
前記継手部材に固定または係止された台座部材に該台座部材と前記濾過膜モジュールの下部キャップとの間の離間距離を調整し得る高さ調整部材が設けられ、該高さ調整部材により前記濾過膜モジュールの高さ調整を行うことを特徴とする濾過膜モジュールの設置構造。
【請求項２】
ヘッダ管から分岐した第１の配管と、
濾過膜モジュールのキャップに設けられた第２の配管と、が
継手構造により接続された濾過膜モジュールの設置構造であって、
前記継手構造は、前記第１の配管に外装されると共に該第１の配管の外周面に設けられた突出部に当接して回転自在に係止される袋ナットと、
前記第１の配管の端面に第１のシール部材を介在させて一端面が当接され、前記袋ナットの内周面に設けられた雌ネジ部に螺合し得る雄ネジ部が外周面に設けられ、且つ前記第２の配管が他端部から挿入される継手部材と、
前記継手部材の内周面と前記第２の配管の外周面とに当接してシールする第２のシール部材と、を有し、
前記濾過膜モジュールは、水平に配置された前記ヘッダ管に起立した状態で取り付けられ、
前記濾過膜モジュールのキャップが下部キャップであり、
前記継手部材に固定または係止された台座部材に該台座部材と前記濾過膜モジュールの下部キャップとの間の離間距離を調整し得る高さ調整部材が設けられ、該高さ調整部材により前記濾過膜モジュールの高さ調整を行うことを特徴とする濾過膜モジュールの設置構造。
【請求項３】
前記高さ調整部材は前記台座部材に設けたネジ孔に螺合されたボルト部材により構成され、該ボルト部材の先端部を前記濾過膜モジュールの下部キャップの下面に当接させ、該ボルト部材の前記台座部材からの突出長さを変更して前記濾過膜モジュールの高さ調整を行うことを特徴とする請求項１または請求項２に記載の濾過膜モジュールの設置構造。
【請求項４】
前記高さ調整部材は前記台座部材に設けた貫通孔に挿通されたボルト部材に螺合され、該台座部材を支持するナットにより構成され、該ボルト部材の先端部を前記濾過膜モジュールの下部キャップの下面に当接させ、該ボルト部材の前記台座部材からの突出長さを変更して前記濾過膜モジュールの高さ調整を行うことを特徴とする請求項１または請求項２に記載の濾過膜モジュールの設置構造。
【発明の詳細な説明】
【技術分野】
【０００１】
本発明は、配管相互を接続する継手構造及びそれを用いた濾過膜モジュールの設置構造に関するものである。
【背景技術】
【０００２】
従来、濾過膜モジュールの配管相互を接続する継手構造としては、特開２００３−３３４４２９号公報（特許文献１）の図２に記載されたように、ヘッダ部品の枝管と濾過膜モジュールとを所定の自由度を有して柔軟に接続し得るフレキシブル伸縮継手により接続したものがある。
【０００３】
【特許文献１】特開２００３−３３４４２９号公報
【発明の開示】
【発明が解決しようとする課題】
【０００４】
しかしながら、前述の特許文献１のようなフレキシブル伸縮継手では、濾過膜モジュールを交換する際に濾過膜モジュール側の配管がフレキシブル伸縮継手の筒状本体から完全に引き抜けるまでヘッダ管の枝管の直線状の長さを確保しなければならず、その分、濾過膜モジュールを支持する架台高さが高くなり、濾過装置が大型化するという問題があった。
【０００５】
また、濾過膜モジュールを所定の高さ位置で支持するための支持部材が別途必要であり、通常は濾過膜モジュールの下部キャップの下面を別途用意した支持部材で支持する構造が必要であった。
【０００６】
本発明は前記課題を解決するものであり、その目的とするところは、ヘッダ管の枝管と濾過膜モジュールとを所定の自由度を有して柔軟に接続出来、濾過膜モジュールを支持する架台高さを低くすることが出来、これにより濾過装置を小型化することが出来る継手構造、更にはその継手構造を介して濾過膜モジュールを支持すると共に高さ調整も出来る濾過膜モジュールの設置構造を提供せんとするものである。
【課題を解決するための手段】
【０００７】
前記目的を達成するための本発明に係る継手構造の第１の構成は、第１の配管と第２の配管とを接続する継手構造であって、前記第１の配管に外装されると共に該第１の配管の外周面に設けられた突出部に当接して回転自在に係止される第１の袋ナットと、前記第１の配管の端面に第１のシール部材を介在させて一端面が当接され、前記第１の袋ナットの内周面に設けられた雌ネジ部に螺合し得る雄ネジ部が外周面に設けられ、且つ前記第２の配管が他端部から挿入される継手部材と、前記継手部材の他端部及び前記第２の配管に外装されると共に該継手部材の他端部の外周面に設けられた雄ネジ部に螺合し得る雌ネジ部が内周面に設けられた第２の袋ナットと、前記第２の配管に外装されると共に前記第２の袋ナットの内部に収容され、前記第２の配管の外周面と前記継手部材の他端面に当接してシールする第２のシール部材とを有することを特徴とする。
【０００８】
また、本発明に係る継手構造の第２の構成は、第１の配管と第２の配管とを接続する継手構造であって、前記第１の配管に外装されると共に該第１の配管の外周面に設けられた突出部に当接して回転自在に係止される袋ナットと、前記第１の配管の端面に第１のシール部材を介在させて一端面が当接され、前記袋ナットの内周面に設けられた雌ネジ部に螺合し得る雄ネジ部が外周面に設けられ、且つ前記第２の配管が他端部から挿入される継手部材と、前記継手部材の内周面と前記第２の配管の外周面とに当接してシールする第２のシール部材とを有することを特徴とする。
【０００９】
また、本発明に係る濾過膜モジュールの設置構造の第１の構成は、濾過膜モジュールのキャップに設けられた前記第２の配管と、ヘッダ管から分岐した前記第１の配管とが前記第１、第２の継手構造により接続されたことを特徴とする。
【００１０】
また、本発明に係る濾過膜モジュールの設置構造の第２の構成は、前記第１の構成において、水平に配置されたヘッダ管に、起立した濾過膜モジュールが取り付けられ、前記濾過膜モジュールのキャップが下部キャップであり、前記継手部材に固定または係止された台座部材に該台座部材と前記濾過膜モジュールの下部キャップとの間の離間距離を調整し得る高さ調整部材が設けられ、該高さ調整部材により前記濾過膜モジュールの高さ調整を行うことを特徴とする。
【００１１】
また、本発明に係る濾過膜モジュールの設置構造の第３の構成は、前記第２の構成において、前記高さ調整部材は前記台座部材に設けたネジ孔に螺合されたボルト部材により構成され、該ボルト部材の先端部を前記濾過膜モジュールの下部キャップの下面に当接させ、該ボルト部材の前記台座部材からの突出長さを変更して前記濾過膜モジュールの高さ調整を行うことを特徴とする。
【００１２】
また、本発明に係る濾過膜モジュールの設置構造の第４の構成は、前記第２の構成において、前記高さ調整部材は前記台座部材に設けた貫通孔に挿通されたボルト部材に螺合され該台座部材を支持するナットにより構成され、該ボルト部材の先端部を前記濾過膜モジュールの下部キャップの下面に当接させ、該ボルト部材の前記台座部材からの突出長さを変更して前記濾過膜モジュールの高さ調整を行うことを特徴とする。
【発明の効果】
【００１３】
本発明に係る継手構造の第１の構成によれば、第２の袋ナットと該第２の袋ナットの内部に収容された第２のシール部材とを第２の配管の外周面に嵌装すると共に、該第２の配管を継手部材内部に挿入し、該第２の袋ナットの内周面に設けられた雌ネジ部を継手部材の第２の配管を挿入した側の外周面に設けられた雄ネジ部に螺合締結し、第２の袋ナットの内部に収容された第２のシール部材により第２の配管の外周面と継手部材の第２の配管を挿入した側の端面とに当接してシールすることが出来る。第２の袋ナットを緩めることで第２の配管は継手部材の内部をその軸方向に自在に移動できる。
【００１４】
第２の配管に接続された継手部材の先端面を第１のシール部材を介在させて第１の配管の端面に当接すると共に、第１の袋ナットの内周面に設けられた雌ネジ部を継手部材の第１の配管側の外周面に設けられた雄ネジ部に螺合締結することで該継手部材を介して第１の配管と第２の配管とを接続することが出来る。
【００１５】
第１の袋ナットを緩めることで継手部材はその軸方向に移動することなく該軸方向と直交する方向に第１の配管から取り外すことが出来、第１の袋ナットの内周面に設けられた雌ネジ部と継手部材の該第１の袋ナット側の外周面に設けられた雄ネジ部との螺合が解除出来る程度に軸方向に極短い直線状の長さを確保するだけで良く、取り付け取り外しのための余裕スペースが極めて小さく出来る。
【００１６】
本発明に係る継手構造の第２の構成によれば、第２のシール部材を第２の配管の外周面に装着すると共に、該第２の配管を継手部材内部に挿入して、該第２のシール部材を該継手部材の内周面と第２の配管の外周面とに当接してシールすることが出来る。第２のシール部材を介して第２の配管は継手部材の内部をその軸方向に自在に移動できる。
【００１７】
第２の配管に接続された継手部材の先端面を第１のシール部材を介在させて第１の配管の端面に当接すると共に、第１の袋ナットの内周面に設けられた雌ネジ部を継手部材の第１の配管側の外周面に設けられた雄ネジ部に螺合締結することで該継手部材を介して第１の配管と第２の配管とを接続することが出来る。
【００１８】
継手部材はスリーブ構造であるため該継手部材内に挿入された第２の配管を軸方向に移動させることが出来、第２の配管が濾過膜モジュールの上部キャップに設けられた配管である場合には、濾過膜モジュールの長さ方向の製作誤差を吸収することが出来る。また、濾過膜モジュールの取り付け高さ位置が確定した後に、継手部材を固定軸にして袋ナットを手締めすることが出来る。
【００１９】
また、本発明に係る濾過膜モジュールの設置構造の第１の構成によれば、濾過膜モジュールのキャップに設けられた第２の配管と、ヘッダ管から分岐した第１の配管とを前述の継手構造により接続することで、第２の袋ナットを緩めることで第２の配管は継手部材の内部をその軸方向に自在に移動でき、濾過膜モジュールを所望の高さに設定することが出来、第１の配管と第２の配管との間で軸心位置ずれや軸心角度のずれがあっても継手部材と第２のシール部材の協働により軸心位置ずれや軸心角度ずれを許容することが出来る。これにより、ヘッダ管の枝管と濾過膜モジュールとを所定の自由度を有して柔軟に接続出来る。
【００２０】
また、第１の袋ナットを緩めることで継手部材はその軸方向に移動することなく該軸方向と直交する方向（水平方向）に第１の配管から取り外すことが出来、第１の袋ナットの内周面に設けられた雌ネジ部と継手部材の第２の配管を挿入した側の外周面に設けられた雄ネジ部との螺合が解除出来る程度に軸方向に極短い直線状の長さを確保するだけで良く、濾過膜モジュールの取り付け取り外しのための余裕スペースが極めて小さく出来、濾過膜モジュールを支持する架台高さを低くすることが出来、これにより濾過装置を小型化することが出来る。
【００２１】
また、本発明に係る濾過膜モジュールの設置構造の第２の構成によれば、第１の配管の端面に継手部材の一端面が当接され、第１の袋ナットにより締結固定された該継手部材に台座部材が固定、或いは係止され、該台座部材に設けられた高さ調整部材により濾過膜モジュールが支持されて高さ調整を行うことで、従来は濾過膜モジュールの下部キャップを別途用意した支持部材で支持する構造が必要であったが、その支持部材を、第１の配管、継手部材、台座部材、高さ調整部材が兼ねることが出来、部品点数を削減して簡単な濾過膜モジュールの設置構造とすることが出来る。
【００２２】
また、第２の袋ナットを緩めることで第２の配管は継手部材の内部をその軸方向に自在に移動でき、高さ調整部材により台座部材と濾過膜モジュールの下部キャップとの間の離間距離を調整して該濾過膜モジュールを所望の高さに設定することが出来る。
【００２３】
また、本発明に係る濾過膜モジュールの設置構造の第３、第４の構成によれば、濾過膜モジュールの下部キャップの下面に先端部が当接するボルト部材の台座部材からの突出長さを変更して濾過膜モジュールの高さ調整を簡単な構成で容易に行うことが出来る。
【発明を実施するための最良の形態】
【００２４】
図により本発明に係る継手構造及びそれを用いた濾過膜モジュールの設置構造の一実施形態を具体的に説明する。図１は本発明に係る継手構造の第１実施形態の構成を示す五面図、図２及び図３は第１実施形態の継手構造及びそれを用いた濾過膜モジュールの設置構造の断面説明図及び分解説明図、図４は濾過膜モジュールの下部キャップを架台により受けて支持した構成を説明する図、図５及び図６は濾過膜モジュールの高さ調整部材の各構成を説明する図である。
【００２５】
先ず、図１〜図６を用いて本発明に係る継手構造及びそれを用いた濾過膜モジュールの設置構造の第１実施形態の構成について説明する。図１〜図６において、１は配管２，３を接続する継手構造であって、配管２に外装されると共に該配管２の外周面に設けられた突出部２ａに当接して回転自在に係止される袋ナット４と、配管２の端面２ｂにシール部材となるＯリング５を介在させて一端面６ａが当接され、袋ナット４の内周面に設けられた雌ネジ部４ａに螺合し得る雄ネジ部６ｂが外周面に設けられ、且つ配管３が他端部から挿入される継手部材６と、該継手部材６の他端部及び配管３に外装されると共に該継手部材６の他端部の外周面に設けられた雄ネジ部６ｃに螺合し得る雌ネジ部７ａが内周面に設けられた袋ナット７と、配管３に外装されると共に袋ナット７の内部に収容され、配管３の外周面３ａと継手部材６の他端面６ｄに当接してシールするシール部材８等を有して構成されている。
【００２６】
本実施形態では、図２及び図３に示すように、濾過膜モジュール９の上部キャップ10に設けられた配管３と、図４〜図６に示すように、下部キャップ13に設けられた配管３と、各種ヘッダ管17から分岐した配管２との間をそれぞれ継手部材６を介して接続する継手構造１の一例を示したものである。尚、本実施形態では、図２及び図３に示すように、袋ナット７の内部には、配管３に外装される環状の滑り部材11、割りリング12及び環状のシール部材８が収容されている。
【００２７】
図４〜図６は濾過膜モジュール９の下部キャップ13に設けられた配管３と、水平に配置されたヘッダ管17から分岐した配管２とが継手部材６を介して接続される継手構造１およびそれを用いた濾過モジュールの設置構造の一例である。図４に示す実施形態では、ヘッダ管17に配管２を介して起立して取り付けられた濾過膜モジュール９の重量を下部キャップ13で架台18に預けて継手部材６を下部キャップ13に設けられた配管３と各種ヘッダ管17から分岐した配管２との間をそれぞれ継手部材6を介して接続する継手構造１およびそれを用いた濾過モジュールの設置構造の一例を示したものである。
【００２８】
図５に示す実施形態では、継手部材６の中央括れ部に一体的に固定された台座部材14に該台座部材14と濾過膜モジュール９の下部キャップ13との間の離間距離を調整し得る高さ調整部材15が設けられ、該高さ調整部材15により濾過膜モジュール９の高さ調整を行うことが出来るものである。図５（ａ），（ｂ）は高さ調整部材15により濾過膜モジュール９の高さを変化させた様子を示す。
【００２９】
図５に示す高さ調整部材15は台座部材14に設けた貫通孔14ａに挿通されたボルト部材15ａに螺合され該台座部材14の両面を支持するナット16により構成され、該ボルト部材15ａの先端部15ｂを濾過膜モジュール９の下部キャップ13の下面に当接させ、該ボルト部材15ａの台座部材14からの突出長さＬを変更して濾過膜モジュール９の高さ調整を行うことが出来る。
【００３０】
図６に示す実施形態では、継手部材６と一対の台座部材14とが別体で構成され、後付けする場合の構成の一例を示し、一対の台座部材14には継手部材６の中央括れ部に嵌装し得る切欠溝部14ｂが形成されており、それぞれの切欠溝部14ｂを互い違いにずれた位置に配置して重ね合わせ、図６（ａ）に示す上側の台座部材14に設けた貫通孔14ａにボルト部材15ａが挿通されると共に、下側の台座部材14に溶接して設けたナット部14ｃのネジ孔14c1に該ボルト部材15ａが螺合されている。そして、ボルト部材15ａの先端部15ｂを濾過膜モジュール９の下部キャップ13の下面に当接させ、該ボルト部材15ａの台座部材14からの突出長さＬを変更して濾過膜モジュール９の高さ調整を行うことが出来る。
【００３１】
尚、台座部材14に直接ネジ孔を形成し、該ネジ孔にボルト部材15ａを螺合させてボルト部材15ａの先端部15ｂを濾過膜モジュール９の下部キャップ13の下面に当接させ、該ボルト部材15ａの台座部材14からの突出長さＬを変更して濾過膜モジュール９の高さ調整を行うことでも良い。
【００３２】
上記構成によれば、袋ナット７と該袋ナット７の内部に収容されたシール部材８とを配管３の外周面３ａに嵌装すると共に、該配管３を継手部材６内部に挿入し、該袋ナット７の内周面に設けられた雌ネジ部７ａを継手部材６の配管３を挿入した側の外周面に設けられた雄ネジ部６ｃに螺合締結し、袋ナット７の内部に収容されたシール部材８により配管３の外周面３ａと継手部材６の配管３を挿入した側の端面６ｄとに当接してシールすることが出来る。袋ナット７を緩めることで配管３は継手部材６の内部をその軸方向に自在に移動できる。
【００３３】
配管３に接続された継手部材６の先端面６ａをＯリング５を介在させて配管２の端面２ｂに当接すると共に、袋ナット４の内周面に設けられた雌ネジ部４ａを継手部材６の配管２側の外周面に設けられた雄ネジ部６ｂに螺合締結することで該継手部材６を介して配管２と配管３とを接続することが出来る。
【００３４】
袋ナット４を緩めることで継手部材６はその軸方向に移動することなく該軸方向と直交する方向（水平方向）に配管２から取り外すことが出来、袋ナット４の内周面に設けられた雌ネジ部４ａと継手部材６の該袋ナット４側の外周面に設けられた雄ネジ部６ｂとの螺合が解除出来る程度に軸方向に極短い直線状の長さを確保するだけで良く、取り付け取り外しのための余裕スペースが極めて小さく出来る。
【００３５】
また、濾過膜モジュール９の下部キャップ13に設けられた配管３と、ヘッダ管17から分岐した配管２とを継手構造１により接続することで、袋ナット７を緩めることで配管３は継手部材６の内部をその軸方向に自在に移動でき、濾過膜モジュール９を所望の高さに設定することが出来、配管２と配管３との間で軸心位置ずれや軸心角度のずれがあっても継手部材６とシール部材８との協働により軸心位置ずれや軸心角度ずれを許容することが出来る。これにより、ヘッダ管17の枝管となる配管２と濾過膜モジュール９とを所定の自由度を有して柔軟に接続出来る。
【００３６】
また、袋ナット４を緩めることで継手部材６はその軸方向に移動することなく該軸方向と直交する方向（水平方向）に配管２から取り外すことが出来、袋ナット４の内周面に設けられた雌ネジ部４ａと継手部材６の配管２側の外周面に設けられた雄ネジ部６ｂとの螺合が解除出来る程度に軸方向に極短い直線状の長さを確保するだけで良く、濾過膜モジュール９の取り付け取り外しのための余裕スペースが極めて小さく出来、濾過膜モジュール９を支持する架台18の高さを低くすることが出来、これにより濾過装置を小型化することが出来る。
【００３７】
また、配管２の端面２ｂに継手部材６の一端面６ａが当接され、袋ナット４により締結固定された該継手部材６に台座部材14が固定されるか、或いは係止され、該台座部材14に設けられた高さ調整部材15により濾過膜モジュール９が支持されて高さ調整を行うことで、従来は濾過膜モジュール９の下部キャップ13を別途用意した支持部材で支持する構造が必要であったが、その支持部材を、配管２、継手部材６、台座部材14、高さ調整部材15が兼ねることが出来、部品点数を削減して簡単な濾過膜モジュール９の設置構造とすることが出来る。
【００３８】
また、袋ナット７を緩めることで配管３は継手部材６の内部をその軸方向に自在に移動でき、高さ調整部材15により台座部材14と濾過膜モジュール９の下部キャップ13との間の離間距離を調整して該濾過膜モジュール９を所望の高さに設定することが出来る。
【００３９】
また、濾過膜モジュール９の下部キャップ13の下面に先端部が当接するボルト部材15ａの台座部材14からの突出長さＬを変更して濾過膜モジュール９の高さ調整を簡単な構成で容易に行うことが出来る。
【００４０】
次に、図７〜図９を用いて本発明に係る継手構造及びそれを用いた濾過膜モジュールの設置構造の第２実施形態の構成について説明する。図７は本発明に係る継手構造の第２実施形態の構成を示す五面図、図８及び図９は第２実施形態の継手構造及びそれを用いた濾過膜モジュールの設置構造の断面説明図及び分解説明図である。尚、前記第１実施形態と同様に構成したものは同一の符号を付して説明を省略する。
【００４１】
図７〜図９において、１は配管２，３を接続する継手構造であって、配管２に外装されると共に該配管２の外周面に設けられた突出部２ａに当接して回転自在に係止される袋ナット４と、配管２の端面２ｂにシール部材となるＯリング５を介在させて一端面６ａが当接され、袋ナット４の内周面に設けられた雌ネジ部４ａに螺合し得る雄ネジ部６ｂが外周面に設けられ、且つ配管３が他端部から挿入される継手部材６と、該継手部材６の内周面と配管３の外周面とに当接してシールするシール部材となるＯリング19とを有して構成したものである。
【００４２】
上記構成によれば、第２のシール部材となるＯリング19を配管３の外周面に設けた溝部３ｂに装着すると共に、該配管３を継手部材６内部に挿入して、該Ｏリング19を該継手部材６の内周面と配管３の外周面とに当接してシールすることが出来る。Ｏリング19を介して配管３は継手部材６の内部をその軸方向に自在に移動できる。
【００４３】
配管３に接続された継手部材６の先端面６ａを第１のシール部材となるＯリング５を介在させて配管２の端面２ｂに当接すると共に、袋ナット４の内周面に設けられた雌ネジ部４ａを継手部材６の配管２側の外周面に設けられた雄ネジ部６ｂに螺合締結することで該継手部材６を介して配管２，３を接続することが出来る。
【００４４】
本実施形態の継手部材６はスリーブ構造であるため該継手部材６内に挿入された配管３を軸方向（図８の上下方向）に移動させることが出来、配管３が濾過膜モジュール９の上部キャップ10に設けられた配管３である場合には、該濾過膜モジュール９の長さ方向（図８の上下方向）の製作誤差を吸収することが出来る。また、濾過膜モジュール９の取り付け高さ位置が確定した後に、継手部材６を固定軸にして袋ナット４を手締めすることが出来る。
【００４５】
尚、前記各実施形態では、配管２がエルボ管の場合について説明したが、配管２は直管であっても良い。他の構成は前記第１実施形態と同様に構成され、同様な効果を得ることが出来る。
【産業上の利用可能性】
【００４６】
本発明の活用例として、配管相互を接続する継手構造及びそれを用いた濾過膜モジュールの設置構造に適用出来る。
【図面の簡単な説明】
【００４７】
【図１】本発明に係る継手構造の第１実施形態の構成を示す五面図である。
【図２】第１実施形態の継手構造及びそれを用いた濾過膜モジュールの設置構造の断面説明図である。
【図３】第１実施形態の継手構造及びそれを用いた濾過膜モジュールの設置構造の分解説明図である。
【図４】濾過膜モジュールの下部キャップを架台により受けて支持した構成を説明する図である。
【図５】濾過膜モジュールの高さ調整部材の構成を説明する図である。
【図６】濾過膜モジュールの高さ調整部材の他の構成を説明する図である。
【図７】本発明に係る継手構造の第２実施形態の構成を示す五面図である。
【図８】第２実施形態の継手構造及びそれを用いた濾過膜モジュールの設置構造の断面説明図である。
【図９】第２実施形態の継手構造及びそれを用いた濾過膜モジュールの設置構造の分解説明図である。
【符号の説明】
【００４８】
１…継手構造
２…配管
２ａ…突出部
２ｂ…端面
３…配管
３ａ…外周面
３ｂ…溝部
４…袋ナット
４ａ…雌ネジ部
５…Ｏリング
６…継手部材
６ａ…端面
６ｂ，６ｃ…雄ネジ部
６ｄ…端面
７…袋ナット
７ａ…雌ネジ部
８…シール部材
９…濾過膜モジュール
10…上部キャップ
11…滑り部材
12…割りリング
13…下部キャップ
14…台座部材
14ａ…貫通孔
14ｂ…切欠溝部
14ｃ…ナット部
14c1…ネジ孔
15…高さ調整部材
15ａ…ボルト部材
15ｂ…先端部
16…ナット
17…ヘッダ管
18…架台
19…Ｏリング
【図１】
0005311933.tif 000002
【図２】
0005311933.tif 000003
【図３】
0005311933.tif 000004
【図４】
0005311933.tif 000005
【図５】
0005311933.tif 000006
【図６】
0005311933.tif 000007
【図７】
0005311933.tif 000008
【図８】
0005311933.tif 000009
【図９】
0005311933.tif 000010